(57)【特許請求の範囲】
【請求項１】
上流側のとい部材の下端部と、下流側のとい部材の上端部とを接続する継手であって、
上下方向に延び、上端部が前記上流側のとい部材に接続可能で下端部が前記下流側のとい部材に接続可能な流路部を備え、
前記流路部の周壁部に、前記流路部内の水を前記流路部の外側にあふれさせるための第１開口が形成され、
前記継手は、
前記流路部の外側に設けられて、前記第１開口を覆うカバー部を備え、
前記カバー部と前記流路部の間に、前記第１開口よりも下方位置で下方に向かって開口し、前記第１開口からあふれた水を下方に排出するための第２開口が形成され、
前記流路部は、
下方ほど流路面積が小さくなった筒状の絞り部と、
前記絞り部の下方に位置し、前記上流側のとい部材から前記絞り部を介して雨水が流れ込み、かつ、前記下流側のとい部材に通じる筒状の流入部とを備え、
前記流入部の上端部と前記絞り部との間に、前記第１開口が形成されたことを特徴とする継手。
【請求項２】
前記カバー部は、
下方に開口した筒状に形成され、前記流路部の外周を囲む位置に配されて、前記第１開口を覆い、
前記カバー部の下端部は、
周方向の全長に亘って、前記流路部から外側に離れて位置し、
前記カバー部の前記下端部と前記流路部の間に前記第２開口が形成されたことを特徴とする請求項１に記載の継手。
【発明の詳細な説明】
【技術分野】
【０００１】
本発明は、継手に関し、詳しくは上流側のとい部材と下流側のとい部材を接続する継手に関する。
【背景技術】
【０００２】
特許文献１には、上流側の縦といと下流側の縦といを接続する継手が開示されている。この継手は、鉛直方向に延びた鉛直管と、鉛直管の側面から突出した枝管とで構成されている。上流側の縦といは、鉛直管の上端部に接続され、下流側の縦といは、鉛直管の下端部に接続される。この継手は、集中豪雨などの際に多量の雨水が流れた場合に、継手内部の雨水が枝管から外部にあふれ出るようになっており、これにより、上流側の縦といにつながったバルコニーには雨水が溜まりにくくなっている。
【先行技術文献】
【特許文献】
【０００３】
【特許文献１】特開２０１１−８９３２１号公報
【発明の概要】
【発明が解決しようとする課題】
【０００４】
ところで、前記継手は、枝管の下流側開口が上方に向かって開口している。このため、枝管の下流側開口から、落ち葉などのごみが継手に入り、詰まりが生じる可能性がある。また、枝管の下流側開口から雨水が入り、バルコニーから排出できる雨水の量が少なくなる可能性もある。
【０００５】
本発明は前記事情に鑑みてなされたものであって、下流側の排水経路において、落ち葉などのごみが詰まりにくく、かつ多くの雨水を排出できる継手を提供することを課題とする。
【課題を解決するための手段】
【０００６】
前記課題を解決するために本発明の継手は、上流側のとい部材の下端部と、下流側のとい部材の上端部とを接続する継手であって、上下方向に延び、上端部が前記上流側のとい部材に接続可能で下端部が前記下流側のとい部材に接続可能な流路部を備え、前記流路部の周壁部に、前記流路部内の水を前記流路部の外側にあふれさせるための第１開口が形成され、前記継手は、前記流路部の外側に設けられて、前記第１開口を覆うカバー部を備え、前記カバー部と前記流路部の間に、前記第１開口よりも下方位置で下方に向かって開口し、前記第１開口からあふれた水を下方に排出するための第２開口が形成され、前記流路部は、下方ほど流路面積が小さくなった筒状の絞り部と、前記絞り部の下方に位置し、前記上流側のとい部材から前記絞り部を介して雨水が流れ込み、かつ、前記下流側のとい部材に通じる筒状の流入部とを備え、前記流入部の上端部と前記絞り部との間に、前記第１開口が形成されたことを特徴とする。
【発明の効果】
【０００７】
本発明に係る継手は、集中豪雨により排水経路に多量の雨水が流れ込むなどした場合に、流路部内の雨水が第１開口からあふれて第２開口から排出される。このため、継手の上流側に、雨水が溜まりにくくなる。また、第２開口は下方に向かって開口するので、落ち葉などのごみが継手に入りにくく、詰まりが生じにくい。また、継手には雨水も入りにくくなり、これにより、多くの雨水を排出できる。
【図面の簡単な説明】
【０００８】
【図１】図１は、本発明の実施形態の継手を用いた排水構造を示す説明図である。
【図２】図２は、図１のＡ部の縦断面図である。
【図３】図３は、前記継手の分解斜視図である。
【発明を実施するための形態】
【０００９】
以下、添付図面に基づいて本発明の実施形態について説明する。図１は、本実施形態の継手１を含む排水構造の説明図である。この排水構造は、建物７のバルコニー７０に降った雨水を、地面に設けられた側溝８０に排出する。
【００１０】
本実施形態の排水構造は、排水経路を構成する部材として、ドレイン管９０、排水升９１、縦とい９２、継手１、縦とい９３、および雨水升９４を備えている。
【００１１】
ドレイン管９０は、バルコニー７０に設けられている。ドレイン管９０には、排水升９１、縦とい９２、継手１、および縦とい９３が順に接続されている。すなわち、本実施形態において、継手１の上流側に接続されるとい部材、および継手１の下流側に接続されるとい部材は、縦とい９２、９３である。以下、継手１の上流側に接続される縦とい９２を「上流側縦とい９２」と記載し、継手１の下流側に接続される縦とい９３を「下流側縦とい９３」と記載する。
【００１２】
排水升９１、上流側縦とい９２、継手１、および下流側縦とい９３は、建物７の外壁７１に沿って、この順序で上方から順に配されている。なお、上流側縦とい９２および下流側縦とい９３は、取付具などを用いて外壁７１に固定される。
【００１３】
バルコニー７０に降った雨水は、ドレイン管９０、排水升９１、上流側縦とい９２、継手１、および下流側縦とい９３を順に介して、雨水升９４に流れ込み、雨水升９４から側溝８０に排出される。
【００１４】
図２は、図１のＡ部の縦断面図である。本実施形態の上流側縦とい９２および下流側縦とい９３は、断面略矩形状の角形縦といである。なお、継手１は、断面円形の丸形縦とい同士を接続するものであってもよい。
【００１５】
図３は継手１の分解斜視図である。なお、以下では、上下方向と直交した一方向であって、図３において矢印Ｄ１で示した方向を前方、矢印Ｄ２で示した方向を後方として、継手１や縦とい９２，９３について説明する。なお、ここで規定する前方および後方は、継手１や縦とい９２，９３を設置した状態における方向を示すものではない。
【００１６】
継手１は、上部材２と下部材３を備えている。
【００１７】
上部材２は、図２に示されるように、上筒部２０と、上筒部２０上に設けられた上板２１を備えている。
【００１８】
上板２１は、接着剤により上筒部２０に結合されている。上板２１の中央部には、上下に貫通し、上流側縦とい９２の下端部に接続可能な上接続口部２２が形成されている。上接続口部２２は、上流側縦とい９２の下端部の輪郭に合致した断面略矩形状である。継手１は、上接続口部２２に上流側縦とい９２の下端部を嵌め込むことで、上流側縦とい９２に接続される。
【００１９】
上筒部２０は、上方から下方に向かって順に形成された、導入部２３、絞り部２４、および連通口部２５を備えている。
【００２０】
導入部２３は、断面略矩形の筒状に形成されている。導入部２３は、上接続口部２２と同心である。また、導入部２３は、上接続口部２２に接続される上流側縦とい９２とも同心である。上接続口部２２に接続された上流側縦とい９２の下流側開口９５は、導入部２３の下端部に位置する。
【００２１】
導入部２３の下端から下方に延びた絞り部２４は、下方ほど流路面積が小さくなった筒状に形成されている。
【００２２】
連通口部２５は、筒状に形成されており、絞り部２４の下端から下方に延びている。絞り部２４の下端部の中心軸ａ１と、絞り部２４の上端部の中心軸ａ２は、左右方向において同じ位置にある。なお、本実施形態では、中心軸ａ１が中心軸ａ２よりも後方に位置しているが、中心軸ａ１と中心軸ａ２は、前後方向において同じ位置にあってもよい。
【００２３】
図２に示されるように、筒状の連通口部２５の中心軸方向は、鉛直である。連通口部２５の流路面積は、上下方向に亘って一定である。連通口部２５は下方に向かって開口している。
【００２４】
下部材３は、上筒部２０の下方に位置した下筒部３０と、下筒部３０を囲む筒状のカバー部３１を備えており、２重筒構造である。カバー部３１は、周方向の一部が下筒部３０に一体に接続されている。カバー部３１の上端部は、接着剤によって上板２１に結合されており、これにより、下部材３は上部材２に接続されている。
【００２５】
本実施形態では、上筒部２０と下筒部３０とで、上下方向に延びた流路部１１が構成されている。流路部１１の周壁部は、上筒部２０の周壁部と下筒部３０の周壁部とで構成されている。上流側縦とい９２から、導入部２３に流れ込んだ雨水は、絞り部２４を介して連通口部２５に至り、連通口部２５から下筒部３０に流れる。
【００２６】
下筒部３０は、上下に開口した筒状の下接続口部３２と、下接続口部３２の上端から上方に延びた筒状の流入部３３を備えている。
【００２７】
流入部３３の流路面積は、連通口部２５の流路面積よりも大きく、上下方向に亘って一定である。
【００２８】
連通口部２５は、流入部３３の内側に挿入されている。連通口部２５と流入部３３の上端部の間には、隙間１０が形成されている。隙間１０は、下筒部３０の周方向に亘っている。
【００２９】
流路部１１の周壁部には、流路部１１の外周側に開口した開口１３が形成されている。以下、この開口１３を「第１開口１３」と記載する。具体的に、流入部３３の上端部は、絞り部２４の下方に位置しており、この流入部３３の上端部と絞り部２４の間に、第１開口１３が形成されている。
【００３０】
第１開口１３は、流路部１１の周方向に亘って形成されている。第１開口１３は、隙間１０を介して、流入部３３内の連通口部２５よりも下方の空間に通じている。このため、集中豪雨により排水経路に多量の雨水が流れ込んだり、上筒部２０より下流側の排水経路においてごみ詰まりが生じたりした場合、流入部３３内の雨水は、隙間１０を介して第１開口１３から流路部１１の外にあふれ出る。この場合、流入部３３の上縁部があふれ縁となる。
【００３１】
ここで、本実施形態では、絞り部２４を設けて流入部３３の上端部との間に第１開口１３が形成されている。このため、通常の排水時には、上流側縦とい９２から流れ込んで絞り部２４を伝った雨水は、第１開口１３から排出されにくく、確実に下流側縦とい９３に導水される。
【００３２】
なお、本実施形態の流入部３３の上端は、連通口部２５の下端よりも上方に位置しているが、連通口部２５の下端と同じ高さに位置してもよいし、連通口部２５よりも下方に位置してもよい。
【００３３】
下接続口部３２の外周面は、流入部３３の外周面と連続し、面一である。
【００３４】
下接続口部３２の上端部には、内方に向かって突出した内鍔部３４が形成されている。
【００３５】
継手１は、下接続口部３２の内側に下流側縦とい９３の上端部を嵌め込むことで、下流側縦とい９３と接続される。この接続状態では、内鍔部３４が下流側縦とい９３の上端面に載ることで、継手１の下方への移動が規制される。
【００３６】
カバー部３１の下端は、下接続口部３２の下端と同じ高さに位置している。カバー部３１は、第１開口１３の周囲を覆っている。なお、カバー部３１は、下端が下接続口部３２の下端よりも上方に位置してもよいし、下接続口部３２よりも下方に突出してもよい。
【００３７】
カバー部３１は、上下方向に亘って、流路部１１の外側に離れている。これにより、カバー部３１と流路部１１の間には、流入部３３の周方向に亘った排水用隙間１２が形成されている。
【００３８】
排水用隙間１２は、第１開口１３に通じている。このため、流路部１１から第１開口１３を介してふれ出た雨水（オーバーフロー水）は、排水用隙間１２に流入する。
【００３９】
カバー部３１と流路部１１の間（詳しくは、カバー部３１の下端部と下接続口部３２の下端部の間）には、開口２６が形成されている。以下、この開口２６を「第２開口２６」と記載する。
【００４０】
第２開口２６は、第１開口１３よりも下方位置で下方に向かって開口している。このため、第１開口１３から排水用隙間１２にあふれ出た雨水は、第２開口２６から継手１の外部に排出される。
【００４１】
なお、本実施形態のカバー部３１の下端部は、周方向の全長に亘って、流路部１１から外側に離れて位置しているが、周方向の一部のみが流路部１１から外側に離れて位置してもよい。すなわち、この場合、第２開口２６は、流路部１１の周方向の一部にのみ形成される。
【００４２】
作業者は、前述のように、流路部１１の上端部に設けられた上接続口部２２に上流側縦とい９２の下端部を嵌め込み、流路部１１の下端部に設けられた下接続口部３２を下流側縦とい９３の上端部の外側に嵌めることで、継手１を両縦とい９２，９３に接続する。このように両縦とい９２，９３を継手１により接続した状態では、上流側縦とい９２の内部と下流側縦とい９３の内部が、継手１の流路部１１を介して通じる。
【００４３】
上流側縦とい９２から流路部１１内に流入した雨水は、通常、上筒部２０および下筒部３０を介して、下流側縦とい９３に排出される。また、集中豪雨により排水経路に多量の雨水が流れ込むなどした場合には、流路部１１内の雨水が第１開口１３を介して排水用隙間１２にあふれ、この後、第２開口２６から継手１の外部に排出される。
【００４４】
以上説明した本実施形態の継手は、以下の特徴を有している。継手１は、上流側のとい部材（上流側縦とい９２）の下端部と、下流側のとい部材（下流側縦とい９３）の上端部とを接続する。継手１は、上下方向に延び、上端部が上流側のとい部材に接続可能で下端部が下流側のとい部材に接続可能な流路部１１を備える。流路部１１の周壁部に、流路部１１内の水を流路部１１の外側にあふれさせるための第１開口１３が形成される。継手１は、流路部１１の外側に設けられて、第１開口１３を覆うカバー部３１を備える。カバー部３１と流路部１１の間に、第１開口１３よりも下方位置で下方に向かって開口し、第１開口１３からあふれた水を下方に排出するための第２開口２６が形成される。
【００４５】
この特徴を有する継手１は、集中豪雨により排水経路に多量の雨水が流れ込むなどした場合に、流路部１１内の雨水が第１開口１３および第２開口２６を介してあふれる。このため、バルコニー７０などが存在する、継手１の上流側に、雨水が溜まりにくくなる。また、この第２開口２６は下方に向かって開口するので、落ち葉などのごみが、第２開口２６から継手１に入り込みにくい。従って、第２開口２６の下流側の排水経路において、落ち葉などのごみが詰まりにくい。また、継手１には雨水も入りにくくなり、これにより、多くの雨水を排出できる。
【００４６】
また、本実施形態の継手１は以下の付加的な特徴を有している。カバー部３１は、下方に開口した筒状に形成される。カバー部３１は、流路部１１の外周を囲む位置に配されて、第１開口１３を覆う。カバー部３１の下端部は、周方向の全長に亘って、流路部１１から外側に離れて位置する。カバー部３１の下端部と流路部１１の間に第２開口２６が形成される。
【００４７】
この特徴を有する継手１は、カバー部３１の外側への突出量を抑えながら、第２開口２６の開口面積を十分に確保できる。
【００４８】
なお、本実施形態の上筒部２０は、下方ほど流路面積が小さくなった絞り部２４を備えているが、上筒部２０の流路面積は、上下方向に亘って同じであってもよい。
【００４９】
また、本実施形態の継手１は、上流側縦とい９２と下流側たてとい９３を接続する縦とい用継手であるが、これに制限されない。継手１の上流側および下流側に接続されるとい部材は、例えば呼びといやエルボ、排水升であってもよい。
【００５０】
また、継手１を含む排水構造は、バルコニー７０の水を排出するものに制限されず、ベランダの水や軒樋の水などを排出するための排水構造であってもよい。
【００５１】
また、この他、本実施形態の継手は本発明の趣旨を逸脱しない範囲で適宜設計変更可能である。
【符号の説明】
【００５２】
１  継手
１１  流路部
１３  第１開口
２６  第２開口
３１  カバー部
９２  上流側縦とい（上流側のとい部材）
９３  下流側縦とい（下流側のとい部材）
【図１】
0006579509.tif 000002
【図２】
0006579509.tif 000003
【図３】
0006579509.tif 000004